(57)【要約】【課題】通常の建材と同じ施工方法で設置できるため施工性が高く、照明装置へのアクセスが容易で、しかも前方への飛び出しが目立たない薄型で、高品位の照明を行える照明機能付き建築用パネル及びそれを用いた建築構造を提供する。【解決手段】照明機能付き建築用パネル１０は、外枠１１と、外枠１１に取り付けられた金属フレーム１２と、金属フレーム１２に着脱可能に取り付けられた前面パネル板１３と、金属フレーム１２あるいは前面パネル板のどちらか一方に、着脱可能に取り付けられた光源ユニット１４と、金属フレーム１２と前面パネル板１３との間に配置され、光源ユニット１４からの光を入射して内部を導光させ,前面パネル板１３側の出射面より出射する導光板１５とを有する。【選択図】図２
2013114982.tif 000002
【特許請求の範囲】
【請求項１】
建材から構成された外枠と、
前記外枠に取り付けられた金属フレームと、
前記金属フレームに着脱可能に取り付けられた前面パネル板と、
前記金属フレームあるいは前記前面パネル板のどちらか一方に、着脱可能に取り付けられた光源と、
前記金属フレームと前記前面パネル板との間に配置され、前記光源からの光を入射して内部を導光させ,前記前面パネル板側の出射面より出射する導光板とを有することを特徴とする照明機能付き建築用パネル。
【請求項２】
前記導光板は、前記前面パネル板に取り付けられ,前記前面パネル板の着脱時には,前記前面パネル板と一体で着脱可能となっていることを特徴とする請求項１記載の照明機能付き建築用パネル。
【請求項３】
前記導光板は、前記金属フレームに着脱可能に取り付けられていることを特徴とする請求項１記載の照明機能付き建築用パネル。
【請求項４】
前記導光板は、弾性部材を介して取り付けられていることを特徴とする請求項１〜３のいずれかに記載の照明機能付き建築用パネル。
【請求項５】
前記光源は、その発光部を前記導光板の周囲面に対向して配置しており,前記周囲面より前記発光部からの光を入射するようになっていることを特徴とする請求項１〜４のいずれかに記載の照明機能付き建築用パネル。
【請求項６】
前記光源は、その発光部を前記導光板の表裏いずれか少なくとも一方の面に対向して配置しており,前記表裏いずれか少なくとも一方の面より前記発光部からの光を入射するようになっていることを特徴とする請求項１〜４のいずれかに記載の照明機能付き建築用パネル。
【請求項７】
前記導光板の表裏いずれか少なくとも一方の面に対して傾いた斜面が設けられ、前記導光板に入射した光の少なくとも一部は、前記斜面で反射して前記導光板の内部を導光するようになっていることを特徴とする請求項６に記載の照明機能付き建築用パネル。
【請求項８】
少なくとも前記外枠は、別の建材に連結されていることを特徴とする請求項１〜７のいずれかに記載の照明機能付き建築用パネル。
【請求項９】
前記照明機能付き建築用パネルと同じ形状を有するが照明機能を持たない建築用パネルと、請求項１〜８のいずれかに記載の照明機能付き建築用パネルとを連結してなることを特徴とする建築構造。
【発明の詳細な説明】
【技術分野】
【０００１】
本発明は、照明機能付き建築用パネル及びそれを用いた建築構造に関する。
【背景技術】
【０００２】
近年、照明光源の多様化が進み、種々の照明装置が提案されているが、建材自体に照明装置を組み込んで、周囲とのデザインの統一性を高めたいという要求がある。ところが、建材に照明装置を組み込む際には、施工性、メンテナンス性、薄型・均一発光性といったクリアしなくてはならない課題がある。以下の公知例を参照して、かかる課題について詳述する。
【先行技術文献】
【特許文献】
【０００３】
【特許文献１】特開２０１０−１８０５６３号公報
【特許文献２】特開２０１１−１５３４１４号公報
【特許文献３】特開２００９−２０９５３１号公報
【特許文献４】特開２０１０−１８０５６０号公報
【発明の概要】
【発明が解決しようとする課題】
【０００４】
<施工性>
照明装置を建材に組み込んで、例えば住宅などの建造物の壁や天井、床へ設置する場合、外観の意匠性を高めるため、或いは掃除の邪魔にならないよう、壁や天井など周囲の建材よりなるべく前方に飛び出さないように設置されるケースが多い。しかるに、一般的な照明装置には、光源等の部品を収容するためにある程度の厚みがあるので、従来は、壁や天井などに穴を開けるなどして照明装置を収納するスペースを奥側に確保し設置してきたという実情がある。また、建造物へ設置する際には専用の連結部品を使用するなど、通常の建材の組み付けとは異なる施工を行う必要があった。このような例としては、特許文献１〜３に示すものがある。
【０００５】
<メンテナンス性>
建材は、基本的にメンテナンスの手間がかからず20年，30年と長期に渡って使用されるものであるのに対し、電気部品を有する照明装置は、より短時間のサイクルでの点検や故障時の修理などのメンテナンスが必要になる。これに対し、特許文献１〜３に示す例のごとく、建材に照明装置を単純に組み込んだ場合、簡単に部品を着脱できる構造になっていないため、照明装置へのアクセスが容易ではないことから、メンテナンスの際には多くの作業時間が必要になり、ユーザーの大きな負担を招く恐れがある。一方、特許文献４には、内部に電気機器を含み、メンテナンス性を考慮した建築用パネルが開示されているが、照明装置をどのように組み込むかという工夫がなされておらず、施工性や薄型・均一発光性の課題を残したままである。
【０００６】
<薄型・均一発光性>
照明装置を組み込んだ建材としての付加価値を高めるためには、照明装置の発光品質を示す１つの指標として、照度の均一性が求められる。一例として、光源から発光した光を直接照明光として利用する直下型タイプの照明装置においては、デザイン性を高めるべく照明装置の光軸方向の全長を短くすると、光源から発光した光を十分に拡散することが困難になるため、例えばLEDを光源に用いた場合、出射側に拡散板を挿入したとしても、拡散板を通して光源が点状に明るく視認され、発光部の粒状感が残ってしまうという課題がある。
【０００７】
本発明は、上述した課題を解消すべくなされたものであり、通常の建材と同じ施工方法で設置できるため施工性が高く、照明装置へのアクセスが容易で、しかも前方への飛び出しが目立たない薄型で、高品位の照明を行える照明機能付き建築用パネル及びそれを用いた建築構造を提供することを目的とする。
【課題を解決するための手段】
【０００８】
請求項１に記載の照明機能付き建築用パネルは、
建材から構成された外枠と、
前記外枠に取り付けられた金属フレームと、
前記金属フレームに着脱可能に取り付けられた前面パネル板と、
前記金属フレームあるいは前記前面パネル板のどちらか一方に、着脱可能に取り付けられた光源と、
前記金属フレームと前記前面パネル板との間に配置され、前記光源からの光を入射して内部を導光させ、前記前面パネル板側の出射面より出射する導光板とを有することを特徴とする。
【０００９】
本発明によれば、前記外枠は建材から構成されているので、釘、ビスやステイプル、或いは接着剤など通常の施工手段を用いて建造物に取り付けることができ、特殊な連結部品や工具が不要である。又、前記外枠は建材から構成されているので、現場の取り付け寸法に合わせて切断加工を容易に行えるため、施工性が高く、周囲の建材との一体性を確保でき意匠性も高くなる。一方、前記前面パネル板は、例えばネジなどを用いて、前記金属フレームに着脱可能に取り付けられているので、前記前面パネル板を取り外すことで、前記光源及びその配線、或いは前記導光板に容易にアクセスできるから、メンテナンス性が高まる。特に、前記金属フレームにネジ孔を設けてネジ締結を行うと、何度もネジの取り外しを行ってもネジ山が損傷する恐れが低く、メンテナンス回数に限らず安定して前記前面パネル板を取り付けることができる。更に、前記光源を前記金属フレームに取り付けた場合、金属の高熱伝導性を利用して前記光源の熱を逃がすことができるから、局所的な熱のこもりを解消できる。
【００１０】
加えて、前記導光板が、前記光源からの光を入射して内部を導光させ、前記前面パネル板側の出射面より出射するので、これにより前記照明機能付き建築用パネルを薄くできるから、建造物への追加工等を例えば配線口など最小限に留めることができ、建築の手間が少なく、建造物の強度を低下させる恐れも少ない。又、前記導光板を用いることで、照度の均一性を維持でき、高品位な照明を実現できる。尚、前記外枠と前記金属フレームは、接着剤などで一体化されていても良いが、ネジなどを用いて固定する場合、前記金属フレーム側にネジ孔を設けることで、着脱が繰り返されても前記外枠を損傷する恐れが少なく耐久性を確保できる。
【００１１】
本明細でいう「建材」とは、化粧合板、化粧ボードなどをいう。化粧合板には、天然木化粧合板と、特殊加工化粧板とがある。特殊加工化粧板としては、合成樹脂化粧板、プリント合板、塩ビ化粧合板、紙・布類のオーバーレイ合板などがある。一方、化粧ボードには、ＭＤＦ（中質繊維板）、ダイライト、ロックウール板、ケイ酸カルシウム板、インシュレーションボード等がある。特に、現場などで切断加工できるものであると好ましい。
【００１２】
請求項２に記載の照明機能付き建築用パネルは、請求項１に記載の発明において、前記導光板は、前記前面パネル板に取り付けられ、前記前面パネル板の着脱時には、前記前面パネル板と一体で着脱可能となっていることを特徴とする。
【００１３】
例えば、前記金属フレームに開口部を設けておけば、前記光源からの配線を、前記開口部を介して天井裏などに這わせることができるが、前記導光板を前記前面パネル板と一体で取り外すことにより、前記開口部を介して作業者が天井裏等にアクセスして、配線作業などを容易に行うことができる。
【００１４】
請求項３に記載の照明機能付き建築用パネルは、請求項１に記載の発明において、前記導光板は、前記金属フレームに着脱可能に取り付けられていることを特徴とする。
【００１５】
例えば、前記金属フレームに開口部を設けておけば、前記光源からの配線を、前記開口部を介して天井裏などに這わせることができるが、前記導光板を前記金属フレームから取り外すことにより、前記開口部を介して作業者が天井裏等にアクセスして、配線作業などを容易に行うことができる。
【００１６】
請求項４に記載の照明機能付き建築用パネルは、請求項１〜３のいずれかに記載の発明において、前記導光板は、弾性部材を介して取り付けられていることを特徴とする。
【００１７】
前記導光板を用いることで、前記照明機能付き建築用パネルの薄形化及び照度の均一化を図ることができる。ところが、前記照明機能付き建築用パネル内は、薄型で且つ建材等に囲われた断熱性が高い空間であるから、その内部に前記導光板を配置した場合、前記光源から放射される熱が前記照明機能付き建築用パネル内にこもり易く、これにより前記導光板に熱膨張による伸張が生じる場合がある。かかる場合、特に前記導光板が線膨張係数の異なる部材に固定されていると、前記導光板が歪んで照度の均一性が保たれなくなったり、場合によっては破損などする恐れがある。そこで本発明によれば、前記導光板を、弾性部材を介して取り付けることで熱膨張が生じても伸張を拘束せず、これにより前記導光板が歪むことを抑制しているのである。
【００１８】
請求項５に記載の照明機能付き建築用パネルは、請求項１〜４のいずれかに記載の発明において、前記光源は、その発光部を前記導光板の周囲面に対向して配置しており、前記周囲面より前記発光部からの光を入射するようになっていることを特徴とする。
【００１９】
これにより、前記光源を前記導光板の側方に配置できるから、前記照明機能付き建築用パネルの薄形化を図れる。尚、前記光源と前記導光板とを空間をあけて配置することで、前記導光板に熱膨張による伸張が生じても、前記光源の破損を回避できるが、前記光源と前記導光板とを接近して配置する場合、弾性部材を介して前記光源を取り付けることで、伸張した前記導光板の周囲面で押されたとしても、前記光源が破損することを抑制できる。
【００２０】
請求項６に記載の照明機能付き建築用パネルは、請求項１〜４のいずれかに記載の発明において、前記光源は、その発光部を前記導光板の表裏いずれか少なくとも一方の面に対向して配置しており、前記表裏いずれか少なくとも一方の面より前記発光部からの光を入射するようになっていることを特徴とする。
【００２１】
例え前記導光板に熱膨張による伸張が生じても、前記導光板の表裏いずれか少なくとも一方の面に対向して配置された前記光源の発光部との間隔は殆ど変わらないので、その破損を回避できる。
【００２２】
請求項７に記載の照明機能付き建築用パネルは、請求項６に記載の発明において、前記導光板の表裏いずれか少なくとも一方の面に対して傾いた斜面が設けられ、前記導光板に入射した光の少なくとも一部は、前記斜面で反射して前記導光板の内部を導光するようになっていることを特徴とする。
【００２３】
前記斜面で反射することにより、前記導光板の表裏面方向に沿って効率良く光を導光させることができ、パネル全体の光利用効率を向上させることができる。
【００２４】
請求項８に記載の照明機能付き建築用パネルは、請求項１〜７のいずれかに記載の発明において、少なくとも前記外枠は、別の建材に連結されていることを特徴とする。
【００２５】
前記外枠は、釘、ビスやステイプル、或いは接着剤など通常の施工手段を用いて隣接する建材に取り付けることができ、特殊な連結部品や工具が不要である。
【００２６】
請求項９に記載の建築構造は、前記照明機能付き建築用パネルと同じ形状を有するが照明機能を持たない建築用パネルと、請求項１〜８のいずれかに記載の照明機能付き建築用パネルとを連結してなることを特徴とする。
【００２７】
これにより、前記照明機能付き建築用パネルと同じ形状を有するが照明機能を持たない建築用パネルと、請求項１〜８のいずれかに記載の照明機能付き建築用パネルとを任意に組み合わせることで、意匠性を高めることが出来、また家具などの配置や好みに応じて、前記照明機能付き建築用パネルの位置を変更することが簡単にできる。更には、照明機能を持たない既存の建築用パネルと交換することで、新たに照明機能を持たせることもできる。
【００２８】
光源としては、ＬＥＤ（Ｌｉｇｈｔ  Ｅｍｉｔｔｉｎｇ  Ｄｉｏｄｅ）が好ましいが、冷陰極管や蛍光灯などを用いても良い。
【００２９】
導光板としては、プラスチック又はガラスの板に対して、その出射面側に拡散シートを設け、出射面とは反対側に反射シートを設けると好ましい。又、導光板から光を取り出すための光取り出し構造を、その表裏いずれかの面に設けることが望ましく、この場合、例えばシリカ、酸化チタン等の拡散剤の混入したインクを導光板の表裏いずれかの面にドット状に塗布したものを好適に用いることができるが、導光板に凹凸の形状をつけても良い。
【発明の効果】
【００３０】
本発明によれば、通常の建材と同じ施工方法で設置できるため施工性が高く、照明装置へのアクセスが容易で、しかも前方への飛び出しが目立たない薄型で、高品位の照明を行える照明機能付き建築用パネル及びそれを用いた建築構造を提供することができる。
【図面の簡単な説明】
【００３１】
【図１】本実施の形態にかかる照明機能付き建築用パネル１０の分解図である。
【図２】照明機能付き建築用パネル１０を組み付けた状態で、II-II線で切断して矢印方向に見た図である。
【図３】反射シート２０（又は拡散シート２１）を貼り付ける直前の導光板１５を、上面側から見た図である。
【図４】図４（ａ）は、天井ＣＬに、照明機能付き建築用パネル１０を取り付けた状態で示す図であり、図４（ｂ）は、照明機能付き建築用パネル１０から前面パネル板１３を取り外した状態を示す図である。
【図５】照明機能付き建築用パネル１０を、天井ＣＬに組み付ける直前の状態で側方から見た図である。
【図６】照明機能付き建築用パネル１０の施工例を示す図である。
【図７】導光板１５の端部近傍とＬＥＤ発光部１４ｂとを模式的に記載した図であるが、導光板１５と反射シート２０と拡散シート２１との間隔は、実際と異なり誇張して示している。
【図８】本実施の形態の変形例を示す図であるが、一部の部品を省略している。
【図９】本実施の形態の別な変形例を示す図であるが、一部の部品を省略している。
【図１０】別な実施の形態にかかる、図２と同様な断面図であるが、一部の部品を省略している。
【発明を実施するための形態】
【００３２】
以下、添付した図面を参照しながら、本発明の実施形態を説明する。図１は、本実施の形態にかかる照明機能付き建築用パネル１０の分解図である。図２は、照明機能付き建築用パネル１０を組み付けた状態で、II-II線で切断して矢印方向に見た図である。ここでは、建造物屋内の天井に設置される照明機能付き建築用パネル１０を想定しているが、それに限らず壁や床などに設置しても良い。
【００３３】
図１において、照明機能付き建築用パネル１０は、外枠１１と、外枠１１に取り付けられた金属フレーム１２と、金属フレーム１２に着脱可能に取り付けられた前面パネル板１３と、金属フレーム１２に着脱可能に取り付けられた光源ユニット１４と、金属フレーム１２と前面パネル板１３との間に配置され、光源ユニット１４からの光を入射して内部を導光させ、前面パネル板１３側の出射面より出射する導光板１５とを有する。
【００３４】
外枠１１は、建材（ここでは木材）から構成された矩形枠状であり、周囲４カ所に貫通孔１１ａを有している。鋼板製の金属フレーム１２は、図２に示すように、小サイズの矩形枠板１２Ａの外縁と、それより大サイズの矩形枠板１２Ｂの内縁とを、それらに直交する側壁１２Ｃで全周にわたって連結した一体のフレーム本体１２Ｄと、矩形枠板１２Ａの下面に溶接等で接合された薄板１２Ｅとからなる。
【００３５】
図１に示すように、薄板１２Ｅは、その中央に開口１２ａを有する。一方、矩形枠板１２Ｂは、周囲４カ所にネジ孔１２ｂを有し、それとは別に周囲４カ所にネジ孔１２ｃを有している。外枠１１の貫通孔１１ａにそれぞれ挿通したネジ１６を、矩形枠板１２Ｂのネジ孔１２ｂに螺合させることにより、外枠１１は、図２に示すように、その内周を矩形枠板１２Ｂに当接させるようにして、金属フレーム１２に取り付けられている。尚、外枠１１は金属フレーム１２に接着されていても良い。
【００３６】
光源ユニット１４は、図２に示すように、金属フレーム１２の薄板１２Ｅの下面に、不図示のネジ等を用いて着脱自在に固定された細長い基板１４ａと、基板１４ａに等間隔に（図２では紙面垂直方向に並んで）配置されたＬＥＤ発光部１４ｂとを有している。光源ユニット１４を金属フレーム１２に直付けすることで、金属の高熱伝導性を利用して点灯時の熱を逃がすことができる。また、部材結合部の熱伝導効果をより高めるため、部材間に熱伝導シートを挟んでも良い。ＬＥＤ発光部１４ｂは、その発光面を図２で下方に向けている。図示していないが、基板１４ａからつながる配線１７は、金属フレーム１２の開口部１２ａを介して天井裏にまで延在し、不図示の電灯線に接続されている。
【００３７】
図１に示すように、前面パネル板１３は矩形枠状であり、その内周縁を１３ｂとする。又、前面パネル板１３は、周囲４カ所に貫通孔１３ａを有している。図２に示すように、前面パネル板１３の貫通孔１３ａにそれぞれ挿通したネジ１８を、金属フレーム１２の矩形枠板１２Ｂのネジ孔１２ｃに螺合させることにより、前面パネル板１３は、矩形枠板１２Ｂの下面に密着するようにして、金属フレーム１２に取り付けられている。
【００３８】
金属フレーム１２と、前面パネル板１３との間の薄い空間に、導光板１５が配置されている。より具体的には、図２において、前面パネル板１３の長手方向両側において、内周近傍上面に、ゴム板などの弾性部材１９を介して、導光板１５が接着されている。アクリル（又はガラス、ポリカーボネート）製の導光板１５は、上面（表面）１５ａと、出射面である下面（裏面）１５ｂと、短手方向の側面１５ｃ（図１参照）と、長手方向の側面１５ｄとを有する。短手方向の側面１５ｃは、上面１５ａ及び下面１５ｂに直交するが、長手方向の側面１５ｄは、図２に示すように上面１５ａ及び下面１５ｂに対して互いに逆側に傾いた斜面であり、よって上面１５ａの長手方向の長さは、下面１５ｂの同方向の長さより長くなっている。長手方向の側面１５ｄに、反射コートが形成されていると好ましい。或いは、反射コートの代わりに反射材を貼り付けても良い。
【００３９】
図７を参照して、導光板１５の上面１５ａ（或いは下面１５ｂ）には、例えばシリカ、酸化チタン等の拡散剤を混入したインクをドット状に塗布（印刷）することで得られる光取り出し構造としての拡散部１５ｐが設けられている。拡散部１５ｐとしては、ドット径を数１０μｍ程度にすることで、肉眼で視認されないようにでき、ユーザー等に違和感を覚えさせないようにできるが、よりドット径を大きくして、図形や文字などのパターンを描くこともできる。導光板１５の面に凹凸形状を設けても良い。
【００４０】
導光板１５の上面１５ａには、光源ユニット１４のＬＥＤ発光部１４ｂの発光面が対向する両端近傍を除いて、反射シート２０が貼り付けられている。反射シート２０の下面２０ａは、導光板１５の上面１５ａとの間に僅かな空気層を有し、その下面２０ａは反射面（白色塗装や金属膜を蒸着したものなど）となっていて、導光板１５内を導光する光が上面１５ａから出射したときに、これを反射して再び導光板１５内へ戻す機能を有する。一方、導光板１５の下面１５ｂの全面には、拡散シート２１が貼り付けられている。拡散シート２１は、導光板１５の下面１５ｂとの間に僅かな空気層を有し、表面（ここでは下面１５ｂに対向する面）が粗し面となっているか、或いは内部に乳白材やビーズなどを混入した樹脂板であって、透過光を拡散する機能を有するものである。反射シート２０，拡散シート２１は、導光板１５の面から離間して配置されても良い。
【００４１】
図３に示すように、導光板１５は、前面パネル板の内周縁１３ｂよりもサイズが大きくなっていて、反射シート２０，拡散シート２１は、導光板１５の内周縁１３ｂと、導光板１５の側面１５ｃとの間に設けられた両面テープ２２により固着されると好ましい。これにより導光板１５，反射シート２０，拡散シート２１は、ユニット化される。但し、反射シート２０，拡散シート２１は、導光板１５に直接貼り付けられるのではなく、間接的に設けられても良い。例えば、反射シート２１を設ける代わりに、金属フレーム１２の薄板１２Ｅを鏡面（反射面）としても良いし、拡散シート２１を両面テープ等で前面パネル板１３に固定しても良い。
【００４２】
図４（ａ）は、天井ＣＬに、照明機能付き建築用パネル１０を取り付けた状態で示す図であり、図４（ｂ）は、照明機能付き建築用パネル１０から前面パネル板１３を取り外した状態を示す図である。図５は、照明機能付き建築用パネル１０を、天井ＣＬに組み付ける直前の状態で側方から見た図である。図６は、照明機能付き建築用パネル１０の施工例としての建築構造を示す図である。
【００４３】
図５に示すように、天井ＣＬへの施工時に、照明機能を有しない建築用パネル１０’の間に、照明機能付き建築用パネル１０を設置する際に、天井のサイズや形状によって、寸法上、パネルの収まりが悪い場合には、現物合わせにて、照明機能を有しない建築用パネル１０’の端部Ｔ’、又は照明機能付き建築用パネル１０の端部Ｔを適宜切断することで容易に設置でき、スキマなく連結することができるから見た目も良い。かかる場合、建築用パネル１０’、１０の切断は、通常の大工道具であるノコギリ等を用いて行うことができ、また明機能付き建築用パネル１０の取り付けは、釘、ビスやステイプル、或いは接着剤など通常の施工手段を用いて、隣接する天井ＣＬの建材等に取り付けることができる。
【００４４】
照明機能付き建築用パネル１０は、図６に示すように、同じ形状を有するが照明機能を有しない建築用パネル１０’に隣接した任意の位置に取り付けることができる。又、一旦取り付けた後においても、好みにより照明機能を有しない建築用パネル１０’と位置を変えることもできる。更には、照明機能付き建築用パネル１０を、既存の照明機能を有しない建築用パネル１０’と置換することで、建造物の付加価値を高めることもできる。
【００４５】
図４（ａ）に示すように、照明機能付き建築用パネル１０を天井ＣＬに組み付けた状態で点灯させると、後述するようにして光源ユニット１４からの光が導光板１５を介して導光され、前面パネル板１３の内周縁１３ｂの内側の露出した下面１５ｂから拡散シート２１を介して出射するので、これにより照明を行うことができる。
【００４６】
一方、メンテナンス時には、図４（ｂ）に示すように、４隅のネジ１８をゆるめると、前面パネル板１３を金属フレーム１２から取り外すことができる。このとき、導光板１５を一緒に取り外せるので、その目視点検などを容易に行える。又、導光板１５には配線等が接続されていないので、前面パネル板１３の脱着は配線に煩わされることなく容易に行える。
【００４７】
更に、前面パネル板１３と導光板１５を取り外すと、金属フレーム１２内の光源ユニット１４にアクセスできるようになるので、その点検や交換などを容易に行うことができる。同時に、金属フレーム１２の開口１２ａが露出するので、作業者が開口１２ａを介して天井裏などにアクセスして、内部の電灯線などとの接続や点検などを容易に行うことができる。メンテナンス終了後は、前面パネル板１３及び導光板１５を、金属フレーム１２に取り付けてネジ１８で締め付ける。ネジ１８は、金属フレーム１２のネジ孔１２ｃに螺合しているので、繰り返し締め付けてもネジ山が破損する恐れは低い。
【００４８】
照明機能付き建築用パネル１０の照明機能について説明する。図７は、導光板１５とＬＥＤ発光部１４ｂとを模式的に記載した図であり、ＬＥＤ発光部１４ｂから出射されて進行する一部の光を矢印で示している。外部から配線１７及び基板１４ａを介してＬＥＤ発光部１４ｂに電力を供給し、これを発光させると、ＬＥＤ発光部１４ｂから出射された光は、点線で示すように、導光板１５の上面１５ａの端部近傍から内部に進入し、側面（斜面）１５ｄで反射した後、導光板１５の上面１５ａ、下面１５ｂの空気に接する界面で全反射しながら導光板１５に沿って進行するが、導光板１５の上面１５ａに接する拡散部１５ｐに入射した時点で拡散が生じることとなる。このとき、実線で示すように、拡散光の出射角が変化して、その一部は直接下面１５ｂから出射し、別の一部は反射シート２０の下面２０ａに反射した後、再び導光板１５内に戻って下面１５ｂから出射する。下面１５ｂから出射した光は、拡散シート２１を透過することで更に拡散されるので、これにより照明機能付き建築用パネル１０の下方を、均一な照度で照明を行うことができる。
【００４９】
更に本実施の形態によれば、導光板１５が熱膨張により伸張した場合、図２に示すように、導光板１５は弾性部材１９により支持されているので、前面パネル板１３に対して伸張が拘束されないため、歪みを生じることがなく、これにより高品位な照明を実現できる。
【００５０】
図８は、本実施の形態の変形例を示す図である。図８の変形例では、導光板１５の長手方向の側面１５ｄを、上面１５ａ及び下面１５ｂに対して直交させていると共に、金属フレーム（図８では不図示）に取り付けた光源ユニット１４のＬＥＤ発光部１４ｂの発光面を、側面（周囲面）１５ｄに対向させている。ＬＥＤ発光部１４ｂから出射された光束は、側面１５ｄから直接、導光板１５内に入射するようになっている。尚、ＬＥＤ発光部１４ｂと、側面１５ｂとは所定の間隔をあけているので、導光板１５が熱膨張により伸張した場合にも、両者は接触することがない。それ以外の構成は、上述した実施の形態と同様である。
【００５１】
図９は、本実施の形態の別な変形例を示す図である。図９の変形例では、図８に示す導光板１５に貫通孔１５ｅを設けて、これに挿通したネジ２３をネジ孔１３ｅに螺合させることで、導光板１５を前面パネル板１３に取り付けている。かかる場合に、上述した導光板１５の熱膨張による伸張を考慮して、ネジ２３の頭部２３ａと導光板１５との間に、ゴムワッシャ２４を挿入している。これによりネジ２３の締め付け時に、ゴムワッシャ２４が弾性変形し、その付勢力で導光板１５が支持されることとなる。尚、導光板１５の貫通孔１５ｅの内径は、ネジ２３の軸径より大きくなっている。
【００５２】
本変形例によれば、導光板１５が熱膨張により伸張した場合、導光板１５はゴムワッシャ２４の付勢力に抗して伸張でき、前面パネル板１３に対して滑りが生じるため、歪みを生じることがなく、これにより高品位な照明を実現できる。それ以外の構成は、上述した実施の形態と同様である。
【００５３】
図１０は、別な実施の形態にかかる、図２と同様な断面図である。本実施の形態においては、図９に示す導光板１５が、貫通孔１５ｅに挿通したネジ２３をネジ孔１２ｅに螺合させることで、金属フレーム１２に取り付けられている。よって、金属フレーム１２から導光板１５を取り外す場合、そのネジ２３をゆるめればよい。但し、図９と同様に、ゴムワッシャを用いて取り付けても良い。尚、図２と同様に、長手方向側面を斜面として、光源ユニット１４を導光板１５の上側に位置させても良い。
【００５４】
本実施の形態によれば、前面パネル板１３に導光板１５の荷重が付与されないので、軽量な素材から前面パネル板１３を形成することができる。例えば、導光板１５から出射された照明光を遮らず、照明機能付き建築用パネル１０内に虫などが入らないようにする為のアクリル板を前面パネル板１３として用いても良い。
【００５５】
以上の実施の形態に限られず、例えば図２の例では、導光板１５の上下を反転させ、下面側から光源ユニット１４のＬＥＤ発光部１４ｂの出射光を入射させるようにしても良い。又、光源ユニット１４は、前面パネル板１３に取り付けられていても良い。
【符号の説明】
【００５６】
１０ 照明機能付き建築用パネル
１０’ 照明機能なし建築用パネル
１１ 外枠
１１ａ 貫通孔
１２ 金属フレーム
１２Ａ 矩形枠板
１２Ｂ 矩形枠板
１２Ｃ 側壁
１２Ｄ フレーム本体
１２Ｅ 薄板
１２ａ 開口部
１２ｂ ネジ孔
１２ｃ ネジ孔
１２ｅ ネジ孔
１３ 前面パネル板
１３ａ 貫通孔
１３ｂ 内周縁
１３ｅ ネジ孔
１４ 光源ユニット
１４ａ 基板
１４ｂ 発光部
１５ 導光板
１５ａ 上面
１５ｂ 下面
１５ｃ 側面
１５ｄ 側面
１５ｅ 貫通孔
１５ｐ 拡散部
１６ ネジ
１７ 配線
１８ ネジ
１９ 弾性部材
２０ 反射シート
２１ 拡散シート
２２ 両面テープ
２３ ネジ
２３ａ 頭部
２４ ゴムワッシャ
ＣＬ 天井
Ｔ 端部
【図１】
2013114982.tif 000003
【図２】
2013114982.tif 000004
【図４】
2013114982.tif 000005
【図１０】
2013114982.tif 000006
【図３】
2013114982.tif 000007
【図５】
2013114982.tif 000008
【図６】
2013114982.tif 000009
【図７】
2013114982.tif 000010
【図８】
2013114982.tif 000011
【図９】
2013114982.tif 000012